(57)【特許請求の範囲】
【請求項１】
ツバと、クラウンと、このクラウンの下端部の少なくとも前方及び側方に設けられたスベリと、前記クラウンの前方に形成された通気路を備え、通気性を有する帽子であって、
前記通気路は、前記スベリよりも前方に前記ツバの表裏を貫通して形成された第一開口部と、前記クラウンの前側かつ前記クラウンの基部から頂部に向けて形成された第二開口部と、前記第一開口部及び前記第二開口部を表側から覆う被覆部材と、前記第二開口部を裏側から覆うメッシュ部材と、前記頂部において前記被覆部材と前記クラウンとの間に形成された排気口とを有し、
前記通気路が、前記ツバから、前記クラウンの外形に沿って前記クラウンの頂部より後方まで形成され、
前記通気路の高さが前記クラウンの頂部に向けて次第に低くなり、
前記被覆部材の幅は、前記ツバから前記クラウンの頂部に向けて次第に狭くなり、
前記ツバの下側に開口した前記第一開口部から流入した空気が、前記通気路を介し、前記排気口から外部に排出される、
ことを特徴とする帽子。
【請求項２】
前記被覆部材において、前記排気口以外の前記ツバ及び前記クラウンとの接触部分は全て縫合されている、
ことを特徴とする請求項１に記載の帽子。
【請求項３】
前記スベリが凹凸構造を有する又は前記スベリが通気性を有する、
ことを特徴とする請求項１又は請求項２に記載の帽子。
【請求項４】
前記スベリ又は前記スベリの直上部分に吸気口が複数設けられた、
ことを特徴とする請求項１から請求項３の何れか一項に記載の帽子。
【請求項５】
遮熱材が、前記ツバ、前記クラウン及び前記被覆部材の内側に取り付けられている、
ことを特徴とする請求項１から請求項４の何れか一項に記載の帽子。
【発明の詳細な説明】
【技術分野】
【０００１】
本発明は、キャップやハット或いは通学帽等の帽子のツバの下端から空気を取り込み、クラウンの天端付近から排出する通気路を備えた帽子に関するものである。
【背景技術】
【０００２】
ツバの上側かつクラウンの前部に吸気口を設け、帽子体の内部に風を引きこむ帽子が開示されている（例えば、特許文献１）。この帽子は、ツバとクラウンから構成される帽子であり、帽子前部とその対向位置の各々に通気口を設け、帽子前部の対向位置に設けた通気口は、カットして分割したクラウンの各々のカット部を上下方向にずらして重ねて配置され、カット部を相互に接続しないことにより形成されている。この帽子では、帽子前部の対向位置に設けた通気口の大きさを自由に調整することができる。
また、額の前面のスベリの内側から吸気し、帽子体の頂部に排気口を設けた帽子も販売されている。
【先行技術文献】
【特許文献】
【０００３】
【特許文献１】特開２０１８−９６００５号公報
【発明の概要】
【発明が解決しようとする課題】
【０００４】
その為、次のような問題があった。
ツバの上側で、クラウンの前面に吸気口を設け、帽子体の内部に風を引きこむ帽子では、ツバに平行に、クラウンの額に位置する部分に吸気口が設けられている。この吸気口は、正面から流れてくる空気のみを帽子体内に取り込む事が出来るもので、空気の流入するスピードが速い場合は涼しさを感じさせるが、空気の流入するスピードが遅いと効果はあまり感じられない。更に、風だけ通しても帽子体の外側から照射される輻射熱には対応できず、涼しい帽子とは言えない。
【０００５】
一方、額の前面のスベリの内側から吸気し、クラウンの頂部に排気口を設けた帽子では、顔面にぶつかった空気は、スベリの内側に設けられた吸気口から帽子体の内部に流入し、排気口に流れる様になっている。しかし、帽子体の内部には頭部の髪の毛が無数にあり、流入した空気は帽子体の内部で乱流状態となり、スムーズに排気口から排出できない。従って、帽子体の内部では新鮮な空気と頭部から発生した汗や熱が混合した環境となり、かつ屋外から帽子体に照射される輻射熱も相まって涼しさは不十分である。
【０００６】
そこで、本発明は、涼しさを十分に確保できる帽子を提供することを目的とする。
【課題を解決するための手段】
【０００７】
本発明に係る帽子は、ツバと、クラウンと、クラウンの下端部の少なくとも前方及び側方に設けられたスベリと、クラウンの前方に形成された通気路を備え、通気性を有するものであって、通気路は、スベリよりも前方にツバの表裏を貫通して形成された第一開口部と、クラウンの前側かつクラウンの基部から頂部に向けて形成された第二開口部と、第一開口部及び第二開口部を表側から覆う被覆部材と、第二開口部を裏側から覆うメッシュ部材と、頂部において被覆部材とクラウンとの間に形成された排気口とを有し、ツバの下側に開口した第一開口部から流入した空気が、通気路を介し、排気口から外部に排出されることを特徴とする。
【０００８】
本発明に係る帽子は、通気路がツバからクラウンの外形に沿って、クラウンの頂部より後方まで形成され、通気路の高さがクラウンの頂部に向けて次第に低くなり、被覆部材の幅がツバからクラウンの頂部に向けて次第に狭くなり、被覆部材において、排気口以外のツバ及びクラウンとの接触部分は全て縫合されていることを特徴とする。
【０００９】
本発明に係る帽子は、スベリが凹凸構造を有する又はスベリが通気性を有することを特徴とする。
【００１０】
本発明に係る帽子は、スベリ又はスベリよりも上側部分に吸気口が複数設けられたことを特徴とする。
【００１１】
本発明に係る帽子は、アルミホイル等輻射熱に対して高反射率の素材が、ツバ、クラウン及び被覆部材の内側に取り付けられ、かつアルミホイル等輻射熱に対して高反射率の素材の反射面が入射光側に向けて取り付けられていることを特徴とする。
【発明の効果】
【００１２】
本発明に係る帽子は、ツバと、クラウンと、スベリと、クラウンの前方に形成された通気路を備える通気性を有し、通気路は、スベリよりも前方にツバの表裏を貫通して形成された第一開口部と、クラウンの頂部においてクラウンとの間に形成された排気口とを有し、ツバの下側に開口した第一開口部から流入した空気が、通気路を介し、排気口から外部に排出される。そうすると、第一開口部から流入した空気は、通気路に流入し、通気路の内部を上昇しながら、頭部のアール型形状に沿って移動する。この時、空気には遠心力が働き、通気路の内側を高速で流れ、毛髪の影響も受けにくいので空気は層流状態で排気口から排出され、着用者の頭部が涼しい環境となる。
【００１３】
また、本発明に係る帽子では、アルミホイル等輻射熱に対して高反射率の素材が、ツバ、クラウン及び被覆部材の内側に取り付けられ、かつアルミホイル等輻射熱に対して高反射率の素材の反射面が、太陽光側に向けて取り付けられている。そのため、大半の輻射熱を阻止することが可能であり、頭部に加わる熱が大幅に低下するため、熱中症対策に効果的である。
【図面の簡単な説明】
【００１４】
【図１】本発明の実施形態に係る帽子の正面図である。
【図２】本発明の実施形態に係る帽子の斜視図である。
【図３】本発明の実施形態に係る帽子の底面図である。
【図４】本発明の実施形態に係る帽子の側面図である。
【図５】本発明の実施形態に係る帽子の断面図（図４のＡ−Ａ断面図）である。（ａ）から（ｄ）は、形状が異なる通気路をそれぞれ示している。
【図６】本発明の実施形態に係る帽子の作用を説明するための図である。
【発明を実施するための形態】
【００１５】
以下、本発明を実施するための最良の形態について、図１から図５を参照して、説明する。
帽子は、クラウンやツバからなり、太陽光を遮断し日影を作り、頭部や顔面の暑さを緩和する目的で使用される。しかしながら、近年気温の上昇は激しく、以前より頭部の暑さとムレが多くなり、帽子を被る事による快適性が損なわれる状況となっている。
【００１６】
帽子の暑さの最も大きな要因は、太陽からの輻射熱である。輻射熱と言っても、熱さに関するものとして紫外線、可視光線、赤外線の領域がある。これらの中で、我々が見る事の出来る可視光線はそれほど大きな熱を持っておらず、見る事の出来ない赤外線こそが暑さの要因である。従って、見た目が日蔭だからと言って涼しい訳ではない。
【００１７】
太陽からの輻射熱は、帽子の外側の布に照射されると熱を発生、更に外気温も加わって布の温度を一層上昇させる。この熱は、二次輻射熱として頭部に照射され、再び熱を発生するため、人間は暑さを感じる。
一方、布を透過した輻射熱は一次輻射熱として頭部に直接照射される。我々は、この一次輻射熱と二次輻射熱の両方が頭部に照射されるので更なる暑さを感じている。
従って、帽子体の内部の暑さを解消するには、屋外からの輻射熱の阻止が最も重要である。
【００１８】
帽子体の内部の暑さ対策には、もう一つの熱源である頭部から発生する熱や汗を排出する事が大切である。これを実現する為には帽子体の内部を通気させる事であるが、帽子体に吸気口と排気口を設けただけでは、帽子体の内部で無数の毛髪で乱流状態となり、思ったより暑さの解消にはならない。重要な事は、帽子体の内部の空気が層流状態で排出される事である。
【００１９】
本発明に係る帽子（通気帽）１は、図１から図３に示すように、ツバ３と、クラウン２と、クラウン２の下端部に設けられたスベリ４と、クラウン２の前方に形成された通気路５を備え、通気性を有する。帽子１において、通気路５は、スベリ４よりも前方（前後方向Ｘ）に、ツバ３の表裏を貫通して形成された第一開口部６と、クラウン２の前側かつクラウン２の基部２Ａから頂部２Ｂに向けて形成された第二開口部７と、第一開口部６及び第二開口部７を表側から覆う被覆部材８と、第二開口部７を裏側から覆うメッシュ部材１１と、頂部２Ｂ付近において被覆部材８とクラウン２との間に形成された排気口９とを有する。通気路５は、クラウン２よりも外側（前後方向Ｘの前方）に突出して形成されている。
そして、帽子１では、ツバ３の下側（裏側）に開口した第一開口部６から流入した空気が、通気路５を介し、排気口９から外部に排出される。
なお、スベリ４は、クラウン２の下端部の少なくとも前方及び側方に設けられていればよい。又メッシュ部材１１は、第二開口部７の周囲のクラウン２に縫製されることで固定され、第二開口部７全体を覆っている。
【００２０】
帽子１は、ツバ３とクラウン２と通気路５からなる布製の帽子であり、スベリ４は通常の帽子のままであり、額に接するツバ３の円周方向Ｚと、これに直行するツバ３の前方方向に設けた第一開口部６と、この第一開口部６と対向するクラウン２に、ツバ３の円周方向Ｚの開口幅と同じ長さで、ハギ部２Ｃに頂部２Ｂまで第二開口部７を設け、この第一開口部６及び第二開口部７を上側（表側）から覆うように、ツバ３の第一開口部６の先端からクラウン２の頂部２Ｂまでの第二開口部７より若干後方まで伸びる通気路５が設けられている。
【００２１】
本発明に係る帽子１は、主として、ツバ３、通気路５、クラウン２の３つの部材から構成されている。最も重要な部材は通気路５であり、外気がツバ３の下側から流入（吸入）され、クラウン２の外側に突出した通気路５の内部を層流状態で流れ、クラウン２の頂部２Ｂのやや後ろ側に形成された排出口９から排出される。通気路５をクラウン２の外側に突出させる事により、クラウン２の外側に排気ダクトを設けたような構成となり、無数の毛髪がこの通気路５には影響を与える事は少ないので、吸入した外気は層流の状態で排気口９からスムーズに排出可能で有る。
【００２２】
本発明に係る帽子１は、二つの開口部を有している。
一つは、ツバ３がクラウン２と接する面で、ツバ３の頭部と接する円周方向Ｚに６０ｍｍから８０ｍｍ、前後方向Ｘに８ｍｍから１５ｍｍの第一開口部６である。この第一開口部６は、屋外からの吸気を目的に形成されている。
更に、この第一開口部６に対向するクラウン２のハギ部２Ｃに、底部は第一開口部６と同じ６０ｍｍから８０ｍｍ幅で、頂部２Ｂは５０ｍｍ程度の開口を設けた第二開口部７である。この第二開口部７は、頭部から発生する熱や水蒸気を排出する目的で形成されている。
又、第一開口部６や第二開口部７の寸法は、帽子のサイズや帽子の種類によって決めれば良く、全てが上述した寸法に限定されない。
【００２３】
本発明に係る帽子１において、通気路５は、ツバ３の先端からクラウン２の外形に沿って、クラウン２の頂部２Ｂより若干後方まで設けられ、通気路５の高さＨがクラウン２の基部２Ａから頂部２Ｂに向けて次第に低くなっている（図４）。また、被覆部材８の幅Ｗは、ツバ３からクラウン２の頂部２Ｂに向けて次第に狭くなって形成されている（図１）。被覆部材８は、排気口９を形成する部分以外のツバ３及びクラウン２との接触部分は全て縫合されている。
【００２４】
通気路５は、クラウン２から前方（前後方向Ｘ）に突き出た形状であるが、帽子１の側面から見ると、ツバ３の開口部の先端では８ｍｍから１５ｍｍ、クラウン２の頂部２Ｂでは３ｍｍから５ｍｍと頂部２Ｂに向けて、通気路５が突出している高さ（幅）が小さくなっている。又、通気路５を天端から見た場合、被覆部材８の幅Ｗは、ツバ３の開口部の先端では６０ｍｍから８０ｍｍであるが、クラウン２の頂部２Ｂでは５０ｍｍから６０ｍｍとなり、被覆部材８は略台形状をしている。
即ち、通気路５は、吸気口である第一開口部６から排気口９に向かって、断面積が次第に小さくなっている。断面積が小さくなることは、第一開口部６から流入した空気は排気口９に近づけば、近づくほど、空気の流速が増す構造である。
更に、空気の流速が増せば増すほど、通気路５を通過する空気の圧力は低下し、頭部から発生する熱や水蒸気をもった高温高圧の空気を取り込みながら、排出口９から排出される。
【００２５】
又、本発明に係る帽子１のスベリ４は、凹凸構造を有したり、通気性を有していてもよい。更にスベリ４や、スベリ４よりも上側部分（スベリ４の直上部）に、表裏を貫通させた吸気口（図示しない）を複数設けてもよい。
【００２６】
吸気口は、クラウン２の側面で、できるだけクラウン２の下側に設ける事が頭側部の涼しさを感じさせるポイントである。つまり、頭頂部には通気路５の内部を空気が層流状態で流れ、気圧も負圧になっている。そこで、クラウン２の下端部から空気が流入すると、この空気は頭部側面の下側から通気路５に向かって層流状態で流れやすい。その結果、側頭部では僅かな空気の流れを感じ、涼しさが助長される。この側面の吸気方法として、凹凸のある或いは繊維質の通気し易い（通気性のある）スベリ４を使用することが好ましい。
又、スベリの直上部に穴がかりを複数個取り付ける方法もある。一般的な帽子は、帽子体の中央から頂部付近に穴かがりを設け、帽子体内の熱の排出として使用しているが、本発明に係る帽子１では、この穴かがりを逆に吸気口として利用する。
何れにしろ、重要な事は、できるだけ帽子１の下端から吸気する事である。
【００２７】
本発明に係る帽子１は、アルミホイル等輻射熱に対して高反射率の素材（遮熱材）１０が、ツバ３、クラウン２及び被覆部材８の内側に取り付けられ、かつアルミホイル等輻射熱に対して高反射率の素材１０の反射面が、太陽光側に向けて取り付けられている。
【００２８】
前にも述べたが、頭部が暑くなる最大の要因は太陽からの輻射熱である。
帽子１の内側には、原則、全面にアルミホイル等輻射熱に対して高反射率の素材１０が使用されていて、反射面は全て太陽光側に向けて取り付けられている。
輻射熱に対して高反射率の素材１０は、アルミ箔を使用したものや布や樹脂フィルム等に蒸着したものと種々ある。輻射熱に対して高反射率１０の素材は反射率が高い方が良いが、帽子１はアール形状であるものが多く、アルミ箔等が使いにくい場合には、アルミを蒸着した遮熱材でも使用可能で有る。
本実施形態では、柔軟性や通気性を考慮して、布の片面にアルミを蒸着したものを使用している。輻射熱に対して高反射率の素材１０の厚みは約０，２ｍｍであるため、帽子体の内部に使用しても、帽子１の着用者に違和感は生じさせない。輻射熱に対して高反射率の素材１０には、反射率が約７５％から９３％のものが使用される。
【００２９】
ツバ３は、図４に示すように、布３Ａ、輻射熱に対して高反射率の素材１０、プラスチック板３Ｂ、布３Ａの構成で製作されている。ツバ３は、強度の関係からプラスチック板１０を使用している。ただ、布３Ａで剛性を持たせるならプラスチック板３Ｂは不要である。
プラスチック板３Ｂは、一次輻射熱を透過する可能性は少なく、帽子体より遥かに熱量は少ない。費用等の関係で、輻射熱に対して高反射率の素材１０を使用しない場合もある。
【００３０】
クラウン２は、布と、布の内側に取り付けられた輻射熱に対して高反射率の素材１０とで構成されている。内側を綺麗に見せる為、装飾布やネット等を貼る場合もある。
【００３１】
通気路５は、ツバ３の第一開口部６からクラウン２の頂部２Ｂ付近まで、排気口９以外は縫合等により、クラウン２に固定されている。又、その構成は、図４に示すように、布８Ａ、輻射熱に対して高反射率の素材１０、プラスチック板８Ｂ、布８Ａである。この場合にも、強度の有る布８Ａを使用する場合や帽子体の柔軟性が求められる場合は、プラスチック板８Ｂを使用しない事もある。又、帽子体の内部の空気の流れを良くする為、プラスチック板１０の下側の布を設けない事も可能で有る。
【００３２】
通気路５の形状は、図５（ａ）から（ｄ）に示すように、コ型、三角形状、円状等、様々な形状とすることができる。通気路５の形状や大きさを変更することで、通気路５の内部の空気の流れや排気口９から排出される空気の量が変わるため、帽子１の内部の涼しさも変わる。
【００３３】
次に、本発明に係る帽子１のメカニズム及び効果について、図６を参照して詳しく説明する。
【００３４】
本発明の帽子１の主要な構成はツバ３、通気路５、クラウン２、アルミホイル等輻射熱に対し高反射率の素材１０である。
機能的には、ツバ３に設けた吸気口として機能する第一開口部６、そしてクラウン２の頂部２Ｂ付近に形成される排気口９、更には帽子体の下端に配置されたスベリ４や穴がかり等の吸気口が重要である。
【００３５】
前面からの風や走行する事により流入する空気の吸気口（第一開口部６）は、ツバ３の下方に開口して設けられている。風が吹いたり、歩行したりして風を受けるのは顔面が最も多い。顔面は面積が大きく、容易に空気を受けやすい。しかも、顔面に当たった空気は上昇し易く、容易に帽子体の内部に吸気される。歩く速度が早くなればなるほどその量は増加する。即ち、帽子体の内部を通過する空気の量は、風速或いは歩行速度に比例するといえる。
図６に示すように、吸気口（第一開口部６）から吸入した空気は、クラウン２の外側に設けられた通気路５に流れ込むが、空気は上昇しながら、頭部のアール型形状に沿って移動する。この時、空気には遠心力が働き、通気路５の内側を高速で流れ、毛髪の影響も受けにくいので空気は層流状態で排気口９から排出される。
又、第二開口部７をメッシュ部材１１で覆うことで、通気路５への髪の毛の侵入を防ぎ、通気路５の内部を空気が流れ易い状態を維持することができるとともに、頭部からの熱が通気路５に流れ易くなる。メッシュ部材１１を第二開口部６の周縁のクラウン２に固定することで、クラウン２の半球の形状を維持することができる。クラウン２の形状を維持できることで、帽子１の製作が容易となり、かつ着用者も着用しやすくなる。
更に、本発明の帽子１では、排気口９に近づくほど、断面積が小さくなっているため、通気路５内の空気の流速は速くなる。これによって、通気路５の頭部側は負圧になる。
【００３６】
一方、クラウン２の内部は頭部から発生する熱や水蒸気により空気が膨張、更に圧力も高まる為、気圧の低い通気路５に流れ込む事になる。
その結果、通気路５の内部の空気は更に速度を増し、排気口９から屋外（外部）に放出される。クラウン２の側部下端のスベリ４には、凹凸を有するものや繊維系のものが使われていたり、或いはスベリ４の直ぐ上に穴がかりを設け、屋外の空気が流入されやすい構造となっている。
その結果、クラウン２の側部下端から流入した空気は、頭部の周囲を層流状態で負圧の通気路５に向かって流れ、頭部から発生した熱や水蒸気を排出するので涼しい環境が得られる。
【００３７】
帽子体に吸気口や排気口を付けたが涼しさを感じられないと言われるが、それは髪の毛の影響で帽子体内が乱流状態となり頭部の熱がうまく排出されない事にある。本発明に係る帽子１はこの問題を完全に克服したものである。
又、ツバ３、通気路５、クラウン２等太陽に面する部材には、全て遮熱材が取り付けられているため、輻射熱を阻止している。従って、本発明の帽子１は、超日陰の下を涼しい空気が流れ、熱中症対策、暑さ対策等に対して画期的な帽子と言える。
【００３８】
本発明に係る帽子１の特徴をまとめると以下の通りとなる。
第一に、輻射熱に対して高反射率の素材１０が全面に入っているので大半の輻射熱が阻止可能であり、頭部に加わる熱が大幅に低下できるため、熱中症対策に効果的である。
すなわち、帽子１を着用することで、着用者の頭部に超日陰の状況を作る事が出来る。
【００３９】
第二に、輻射熱に対して高反射率の素材１０が使用されているので、紫外線をカットすることが出来、皮膚にも優しい。
【００４０】
第三に、着用者が静止している状態でも、顔面付近の空気は体温の影響で熱膨張し上昇、ツバ３の第一開口部６（吸気口）から通気路５を通って頭部に流れる。これは、通気路５の第一開口部６から排気口９までの通路に毛髪等の障害物が無く、空気が非常に流れやすい事を意味する。
【００４１】
第四に、着用者の歩くスピードが増す程、或いは前方から流れてくる風量が大きいほど、顔面に当たる空気量は増加し、この空気は勢いよくツバ３の第一開口部６から通気路５を通って頂部の排出口９から排気されるので、非常に涼しさを感じる事が出来る。
【００４２】
第五に、通気路５はクラウン２の天端に行くほど断面積が小さくなる。即ち、通気路５を流れる空気のスピードが増すので、頭部付近の快適性は一層向上する。
【００４３】
第六に、通気路５を通る空気のスピードが速くなればなるほど、通気路５の内部の動圧は高まり、逆に周囲の静圧は低下する。その結果、頭部の側面の空気も頭部に吸い寄せられるように移動するので、頭部全体のムレも無くなると同時に涼しさを感じる。その為には、クラウン２の側面下部にあるスベリ４や穴がかり等の吸気口から空気が帽子体の内部に流入しやすい構造が好ましい。
【００４４】
第七に、着用者が動くと頭部が高温になり、額に接するスベリ４では汗をかきやすい状況になる。額と接するスベリ４のツバ３側に空気が流れているので、スベリ４も冷やされ額も汗をかきにくくなる。
【００４５】
[試験１]
頭に帽子を着用し、気温２２℃の風のない室内に立った。その状態で、帽子の頂部の排気口付近に火のついた線香を近づけた。
【００４６】
[結果１]
線香の煙は、帽子の頂部の排気口から後方に流れる様に漂った。
【００４７】
[考察１]
無風の状態でも、空気はツバの下側に開口した吸気口（第一開口部）から頭部を通り、頂部の排気口から流れている事が解る。これは、顔面付近の空気が体温によって加温され浮力を増し上昇し、頭部の熱により更に熱膨張し流速を増し排気口から排出されるためである。つまり、この帽子は、非常に通気性が良い事の証明である。
【００４８】
[試験２]
８００Ｗの遠赤外線ヒーターの前に、帽子体の内側に布に蒸着した遮熱材を入れたものと、通常の帽子を、帽子体の天端がヒーター側になる様にヒーターから約３０ｃｍの位置に置いた。蒸着した遮熱材は、蒸着面を帽子体の天端側に向けた。表面温度は、サーモグラフィーで測定した。この時の室温は、２６℃であった。
【００４９】
[結果２]
イ）ヒーター側からサーモグラフィーで帽子体の表面を測定すると、遮熱材が設けられていない帽子が５１．５℃、遮熱材を内側に設けた帽子が５５．４℃で、遮熱材を設けた帽子の方が３．９℃高かった。
ロ）この時、内側の温度は、遮熱材が設けられていない帽子が５３．１℃、遮熱材を設けた帽子が４３．５℃で、遮熱材を使用した場合方が９．６℃も低かった。
【００５０】
[考察２]
イ）帽子体のヒーター側の表面温度は、直接輻射熱が照射され加熱するものと、一度は帽子体を透過、帽子体の内部の遮熱材に反射され、再び帽子体に戻され熱となるものとの二つがある。つまり、ヒーターから直接照射され上昇した帽子体の温度は、遮熱材が設けられていない帽子の５１．５℃となる。更に、帽子体を透過して遮熱材により反射、再び帽子体に戻され、熱となったのは５５．４℃である。つまり、３．９℃高いのは遮熱材の反射の影響で、輻射熱が頭部に照射されない事を意味している。
ロ）帽子の内部温度は、実際に頭部に加わる温度の事である。遮熱材を設けた帽子の方が９．６℃も低いと言う事は遮熱効果そのもので、遮熱材によって頭部が涼しくなることを意味する。
【００５１】
以上、本実施形態について説明したが、これ以外にも、本発明の主旨を逸脱しない限り、上記実施の形態で挙げた構成を取捨選択したり、他の構成に適宜変更することが可能である。例えば、本実施形態では、帽子１において、通気路５の高さＨは、頂部２Ｂに向けて次第に低くなるように形成されているが、排出口９付近では、高さを高くすることで、通気路５を通過した空気をスムーズに排出することができる。
【符号の説明】
【００５２】
１      帽子（通気帽）
２      クラウン
２Ａ    基部
２Ｂ    頂部
２Ｃ    ハギ部
３      ツバ
３Ａ    布
３Ｂ    プラスチック板
４      スベリ
５      通気路
６      第一開口部
７      第二開口部
８      被覆部材
８Ａ    布
８Ｂ    プラスチック板
９      排出口
１０    アルミホイル等輻射熱に対して高反射率の素材
１１    メッシュ部材
Ｈ      高さ（通気路の高さ）
Ｗ      幅（被覆部材の幅）
Ｘ      前後方向
Ｙ      上下方向
Ｚ      円周方向
【要約】
【課題】涼しさを十分に確保できる帽子を提供する。
【解決手段】ツバ３と、クラウン２と、少なくとも前方及び側方に設けられたスベリ４と、クラウン２の前方に形成された通気路５を備え、通気性を有し、通気路５は、スベリ４よりも前方にツバ３の表裏を貫通して形成された第一開口部６と、クラウンの前側かつクラウン２の基部２Ａから頂部２Ｂに向けて形成された第二開口部７と、第一開口部６及び第二開口部７を表側から覆う被覆部材８と、第二開口部６を裏側から覆うメッシュ部材１１と、頂部８Ｂにおいて被覆部材８とクラウン２との間に形成された排気口９とを有し、ツバ３の下側に開口した第一開口部６から流入した空気が、通気路５を介し、排気口９から外部に排出される構成をとる。
【選択図】図６【図１】
0006942400.tif 000002
【図２】
0006942400.tif 000003
【図３】
0006942400.tif 000004
【図４】
0006942400.tif 000005
【図５】
0006942400.tif 000006
【図６】
0006942400.tif 000007